(57)【要約】  ワイヤレス通信のための方法、装置、およびコンピュータプログラム製品が提供される。本装置は、サービングセルの時分割複信（ＴＤＤ）構成サブフレームと近隣セルの対応するＴＤＤ構成サブフレームとの間の干渉タイプを判断し、干渉タイプに基づいてサービングセル中の装置のための送信電力を設定する。サービングセル中の装置はユーザ機器（ＵＥ）であり得、その場合、その装置は、ＵＥのためにアップリンク（ＵＬ）開ループ電力制御パラメータのセットを適用する。サービングセル中の装置は基地局（ｅＮＢ）であり得、その場合、ｅＮＢのためのＤＬ送信電力が設定される。干渉タイプに応じて、ＤＬ送信電力は、固定の全電力ＤＬ送信または調整されたＤＬ送信になり得る。
2015530852.tif 000002
【特許請求の範囲】
【請求項１】
サービングセルの時分割複信（ＴＤＤ）構成サブフレームと近隣セルの対応するＴＤＤ構成サブフレームとの間の干渉タイプを判断することと、
前記干渉タイプに基づいて前記サービングセル中の装置のための送信電力を設定することと
を備える、ワイヤレス通信の方法。
【請求項２】
前記サービングセル中の前記装置がユーザ機器（ＵＥ）を備え、送信電力を設定することが、前記ＵＥのためにアップリンク（ＵＬ）開ループ電力制御パラメータのセットを適用することを備える、請求項１に記載の方法。
【請求項３】
干渉タイプを判断することは、
前記サービングセルと前記近隣セルとの対応するサブフレームがＵＬサブフレームであるとき、ＵＬ−ＵＬ干渉タイプを識別することと、
前記サービングセルと前記近隣セルとの対応するサブフレームが前記サービングセル中のＵＬサブフレームと前記近隣セル中のダウンリンク（ＤＬ）サブフレームとを備えるとき、ＵＬ−ＤＬ干渉タイプを識別することと
を備える、請求項２に記載の方法。
【請求項４】
ＵＬ開ループ制御パラメータの前記セットがＵＥ固有構成要素ＰOとセル固有パラメータαとを備え、ＵＬ開ループ電力制御パラメータのセットを適用することが、ＵＬ−ＵＬ干渉タイプをもつ前記ＵＬサブフレーム中で第１のＰOを適用することと、ＵＬ−ＤＬ干渉タイプをもつ前記ＵＬサブフレーム中で第２のＰOを適用することとを備える、請求項３に記載の方法。
【請求項５】
ＵＬ開ループ制御パラメータの前記セットがＵＥ固有構成要素ＰOとセル固有パラメータαとを備え、ＵＬ開ループ電力制御パラメータのセットを適用することが、ＵＬ−ＵＬ干渉タイプをもつ前記ＵＬサブフレーム中で第１のαを適用することと、ＵＬ−ＤＬ干渉タイプをもつ前記ＵＬサブフレーム中で第２のαを適用することとを備える、請求項３に記載の方法。
【請求項６】
ＵＬ開ループ制御パラメータの前記セットがＵＥ固有構成要素ＰOとセル固有パラメータαとを備え、ＵＬ開ループ電力制御パラメータのセットを適用することが、
ＵＬ−ＵＬ干渉タイプをもつ前記ＵＬサブフレーム中で第１のＰOを適用することと、ＵＬ−ＤＬ干渉タイプをもつ前記ＵＬサブフレーム中で第２のＰOを適用することと、
ＵＬ−ＵＬ干渉タイプをもつ前記ＵＬサブフレーム中で第１のαを適用することと、ＵＬ−ＤＬ干渉タイプをもつ前記ＵＬサブフレーム中で第２のαを適用することと
を備える、請求項３に記載の方法。
【請求項７】
前記サービングセル中の前記装置が基地局（ｅＮＢ）を備え、前記送信電力を設定することが、前記ｅＮＢのためのＤＬ送信電力を設定することを備える、請求項１に記載の方法。
【請求項８】
干渉タイプを判断することは、
前記サービングセルと前記近隣セルとの対応するサブフレームが、両方ともＤＬサブフレームであるか、または両方ともスペシャルサブフレームであるとき、ＤＬ−ＤＬ干渉タイプを識別することと、
前記サービングセルと前記近隣セルとの対応するサブフレームが前記サービングセル中のＤＬサブフレームと前記近隣セル中のＵＬサブフレームとを備えるとき、ＤＬ−ＵＬ干渉タイプを識別することと
を備える、請求項７に記載の方法。
【請求項９】
ＤＬ−ＤＬ干渉タイプＤＬサブフレームの場合、ＤＬ送信電力を設定することが、前記ＤＬ送信電力を固定の全電力ＤＬ送信に設定することを備える、請求項８に記載の方法。
【請求項１０】
ＤＬ−ＵＬ干渉タイプＤＬサブフレームの場合、ＤＬ送信電力を設定することが、前記近隣セルのＵＬ開ループ電力制御パラメータに従って前記ＤＬ送信電力を調整することを備える、請求項８に記載の方法。
【請求項１１】
前記近隣セルの前記ＵＬ開ループ電力制御パラメータが構成要素ＰOとセル固有パラメータαとを備える、請求項１０に記載の方法。
【請求項１２】
サービングセルの時分割複信（ＴＤＤ）構成のサブフレームをアンカーサブフレームのセットと非アンカーサブフレームのセットとにグループ化することと、
アンカーサブフレームの前記セットと非アンカーサブフレームの前記セットとのためのそれぞれのアップリンク（ＵＬ）送信電力を計算することと
を備える、ワイヤレス通信の方法。
【請求項１３】
サブフレームをグループ化することは、
前記サービングセルと近隣セルとの対応するサブフレームが前記サービングセル中のＵＬサブフレームと前記近隣セル中のＵＬサブフレームとを備えるとき、前記サービングセルの１つまたは複数のサブフレームをアンカーフレームに指定すること
を備える、請求項１２に記載の方法。
【請求項１４】
サブフレームをグループ化することは、
前記サービングセルと近隣セルとの対応するサブフレームが前記サービングセル中のＵＬサブフレームと前記近隣セル中の（ダウンリンク）ＤＬサブフレームとを備えるとき、前記サービングセルの１つまたは複数のサブフレームを非アンカーサブフレームに指定すること
を備える、請求項１２に記載の方法。
【請求項１５】
ＵＬ送信電力を計算することが、アンカーサブフレームの前記セットと非アンカーサブフレームの前記セットとのための別個のＴＰＣコマンドを受信することを備える、請求項１２に記載の方法。
【請求項１６】
アンカーサブフレームのためのＵＬ送信電力を計算することが、アンカーサブフレームの前記セットに属するサブフレーム中で計算された前記ＴＰＣコマンドに基づいて、ＵＬ送信電力を蓄積するか、または完全に設定することを備える、請求項１５に記載の方法。
【請求項１７】
非アンカーサブフレームのためのＵＬ送信電力を計算することが、非アンカーサブフレームの前記セットに属するサブフレーム中で計算された前記ＴＰＣコマンドに基づいて、ＵＬ送信電力を蓄積するか、または完全に設定することを備える、請求項１５に記載の方法。
【請求項１８】
サービングセルの時分割複信（ＴＤＤ）構成サブフレームと近隣セルの対応するＴＤＤ構成サブフレームとの間の干渉タイプを判断するための手段と、
前記干渉タイプに基づいて前記サービングセル中の装置のための送信電力を設定するための手段と
を備える、ワイヤレス通信のための装置。
【請求項１９】
前記サービングセル中の前記装置がユーザ機器（ＵＥ）を備え、送信電力を設定するための前記手段が、前記ＵＥのためにアップリンク（ＵＬ）開ループ電力制御パラメータのセットを適用するための手段を備える、請求項１８に記載の装置。
【請求項２０】
干渉タイプを判断するための前記手段は、
前記サービングセルと前記近隣セルとの対応するサブフレームがＵＬサブフレームであるとき、ＵＬ−ＵＬ干渉タイプを識別することと、
前記サービングセルと前記近隣セルとの対応するサブフレームが前記サービングセル中のＵＬサブフレームと前記近隣セル中のダウンリンク（ＤＬ）サブフレームとを備えるとき、ＵＬ−ＤＬ干渉タイプを識別することと
を行うように構成された、請求項１９に記載の装置。
【請求項２１】
ＵＬ開ループ制御パラメータの前記セットがＵＥ固有構成要素ＰOとセル固有パラメータαとを備え、ＵＬ開ループ電力制御パラメータのセットを適用するための前記手段が、ＵＬ−ＵＬ干渉タイプをもつ前記サブフレームのために第１のＰOを適用することと、ＵＬ−ＤＬ干渉タイプをもつ前記サブフレームのために第２のＰOを適用することとを行うように構成された、請求項２０に記載の装置。
【請求項２２】
ＵＬ開ループ制御パラメータの前記セットがＵＥ固有構成要素ＰOとセル固有パラメータαとを備え、ＵＬ開ループ電力制御パラメータのセットを適用するための前記手段が、ＵＬ−ＵＬ干渉タイプをもつ前記サブフレームのために第１のαを適用することと、をもつ前記ＵＬ−ＤＬ干渉タイプサブフレームのために第２のαを適用することとを行うように構成された、請求項２０に記載の装置。
【請求項２３】
ＵＬ開ループ制御パラメータの前記セットがＵＥ固有構成要素ＰOとセル固有パラメータαとを備え、ＵＬ開ループ電力制御パラメータのセットを適用するための前記手段が、
ＵＬ−ＵＬ干渉タイプをもつ前記サブフレームのために第１のＰOを適用することと、ＵＬ−ＤＬ干渉タイプをもつ前記サブフレームのために第２のＰOを適用することと、
ＵＬ−ＵＬ干渉タイプをもつ前記サブフレームのために第１のαを適用することと、ＵＬ−ＤＬ干渉タイプをもつ前記サブフレームのために第２のαを適用することと
を行うように構成された、請求項２０に記載の装置。
【請求項２４】
前記サービングセル中の前記装置が基地局（ｅＮＢ）を備え、前記送信電力を設定するための前記手段が、前記ｅＮＢのためのＤＬ送信電力を設定するための手段を備える、請求項１８に記載の装置。
【請求項２５】
干渉タイプを判断するための前記手段は、
前記サービングセルと前記近隣セルとの対応するサブフレームが、両方ともＤＬサブフレームであるか、または両方ともスペシャルサブフレームであるとき、ＤＬ−ＤＬ干渉タイプを識別することと、
前記サービングセルと前記近隣セルとの対応するサブフレームが前記サービングセル中のＤＬサブフレームと前記近隣セル中のＵＬサブフレームとを備えるとき、ＤＬ−ＵＬ干渉タイプを識別することと
を行うように構成された、請求項２４に記載の装置。
【請求項２６】
ＤＬ送信電力を設定するための前記手段が、ＤＬ−ＤＬ干渉の場合、前記ＤＬ送信電力を固定の全電力ＤＬ送信に設定するように構成された、請求項２５に記載の装置。
【請求項２７】
ＤＬ送信電力を設定するための前記手段が、ＤＬ−ＵＬ干渉の場合、前記近隣セルのＵＬ開ループ電力制御パラメータに従って前記ＤＬ送信電力を調整するように構成された、請求項２５に記載の装置。
【請求項２８】
前記近隣セルの前記ＵＬ開ループ電力制御パラメータが構成要素ＰOとセル固有パラメータαとを備える、請求項２７に記載の装置。
【請求項２９】
サービングセルの時分割複信（ＴＤＤ）構成のサブフレームをアンカーサブフレームのセットと非アンカーサブフレームのセットとにグループ化するための手段と、
アンカーサブフレームの前記セットと非アンカーサブフレームの前記セットとのためのそれぞれのアップリンク（ＵＬ）送信電力を計算するための手段と
を備える、ワイヤレス通信のための装置。
【請求項３０】
サブフレームをグループ化するための前記手段は、前記サービングセルと近隣セルとの対応するサブフレームが前記サービングセル中のＵＬサブフレームと前記近隣セル中のＵＬサブフレームとを備えるとき、前記サービングセルの１つまたは複数のサブフレームをアンカーフレームに指定するように構成された、請求項２９に記載の装置。
【請求項３１】
サブフレームをグループ化するための前記手段は、前記サービングセルと近隣セルとの対応するサブフレームが前記サービングセル中のＵＬサブフレームと前記近隣セル中のＤＬサブフレームとを備えるとき、前記サービングセルの１つまたは複数のサブフレームを非アンカーサブフレームに指定するように構成された、請求項２９に記載の装置。
【請求項３２】
ＵＬ送信電力を計算するための前記手段が、アンカーサブフレームの前記セットと非アンカーサブフレームの前記セットとのための別個のＴＰＣコマンドを受信するための手段を備える、請求項２９に記載の装置。
【請求項３３】
アンカーサブフレームのためのＵＬ送信電力を計算するための前記手段が、アンカーサブフレームの前記セットに属するサブフレーム中で計算された前記ＴＰＣコマンドに基づいて、ＵＬ送信電力を蓄積するか、または完全に設定するように構成された、請求項３２に記載の装置。
【請求項３４】
非アンカーサブフレームのためのＵＬ送信電力を計算するための前記手段が、非アンカーサブフレームの前記セットに属するサブフレーム中で計算された前記ＴＰＣコマンドに基づいて、ＵＬ送信電力を蓄積するか、または完全に設定するように構成された、請求項３２に記載の装置。
【請求項３５】
サービングセルの時分割複信（ＴＤＤ）構成サブフレームと近隣セルの対応するＴＤＤ構成サブフレームとの間の干渉タイプを判断することと、
前記干渉タイプに基づいて前記サービングセル中の装置のための送信電力を設定することと
を行うように構成された処理システム
を備える、ワイヤレス通信のための装置。
【請求項３６】
前記サービングセル中の前記装置がユーザ機器（ＵＥ）を備え、前記処理システムが、前記ＵＥのためにアップリンク（ＵＬ）開ループ電力制御パラメータのセットを適用するように構成された、請求項３５に記載の装置。
【請求項３７】
前記処理システムは、
前記サービングセルと前記近隣セルとの対応するサブフレームがＵＬサブフレームであるとき、ＵＬ−ＵＬ干渉タイプを識別することと、
前記サービングセルと前記近隣セルとの対応するサブフレームが前記サービングセル中のＵＬサブフレームと前記近隣セル中のダウンリンク（ＤＬ）サブフレームとを備えるとき、ＵＬ−ＤＬ干渉タイプを識別することと
を行うように構成された、請求項３６に記載の装置。
【請求項３８】
ＵＬ開ループ制御パラメータの前記セットがＵＥ固有構成要素ＰOとセル固有パラメータαとを備え、前記処理システムが、ＵＬ−ＵＬ干渉タイプをもつ前記サブフレームのために第１のＰOを適用することと、ＵＬ−ＤＬ干渉タイプをもつ前記サブフレームのために第２のＰOを適用することとを行うように構成された、請求項３７に記載の装置。
【請求項３９】
ＵＬ開ループ制御パラメータの前記セットがＵＥ固有構成要素ＰOとセル固有パラメータαとを備え、前記処理システムが、ＵＬ−ＵＬ干渉タイプをもつ前記サブフレームのために第１のαを適用することと、ＵＬ−ＤＬ干渉タイプをもつ前記サブフレームのために第２のαを適用することとを行うように構成された、請求項３７に記載の装置。
【請求項４０】
ＵＬ開ループ制御パラメータの前記セットがＵＥ固有構成要素ＰOとセル固有パラメータαとを備え、前記処理システムが、
ＵＬ−ＵＬ干渉タイプをもつ前記サブフレームのために第１のＰOを適用することと、ＵＬ−ＤＬ干渉タイプをもつ前記サブフレームのために第２のＰOを適用することと、
ＵＬ−ＵＬ干渉タイプをもつ前記サブフレームのために第１のαを適用することと、ＵＬ−ＤＬ干渉タイプをもつ前記サブフレームのために第２のαを適用することと
を行うように構成された、請求項３７に記載の装置。
【請求項４１】
前記サービングセル中の前記装置が基地局（ｅＮＢ）を備え、前記処理システムが、前記ｅＮＢのためのＤＬ送信電力を設定するように構成された、請求項３５に記載の装置。
【請求項４２】
前記処理システムは、
前記サービングセルと前記近隣セルとの対応するサブフレームが、両方ともＤＬサブフレームであるか、または両方ともスペシャルサブフレームであるとき、ＤＬ−ＤＬ干渉タイプを識別することと、
前記サービングセルと前記近隣セルとの対応するサブフレームが前記サービングセル中のＤＬサブフレームと前記近隣セル中のＵＬサブフレームとを備えるとき、ＤＬ−ＵＬ干渉タイプを識別することと
を行うように構成された、請求項４１に記載の装置。
【請求項４３】
前記処理システムが、ＤＬ−ＤＬ干渉の場合、前記ＤＬ送信電力を固定の全電力ＤＬ送信に設定するように構成された、請求項４２に記載の装置。
【請求項４４】
前記処理システムが、ＤＬ−ＵＬ干渉の場合、前記近隣セルのＵＬ開ループ電力制御パラメータに従って前記ＤＬ送信電力を調整するように構成された、請求項４２に記載の装置。
【請求項４５】
前記近隣セルの前記ＵＬ開ループ電力制御パラメータが構成要素ＰOとセル固有パラメータαとを備える、請求項４４に記載の装置。
【請求項４６】
サービングセルの時分割複信（ＴＤＤ）構成のサブフレームをアンカーサブフレームのセットと非アンカーサブフレームのセットとにグループ化することと、
アンカーサブフレームの前記セットと非アンカーサブフレームの前記セットとのためのそれぞれのアップリンク（ＵＬ）送信電力を計算することと
を行うように構成された処理システム
を備える、ワイヤレス通信のための装置。
【請求項４７】
前記処理システムは、前記サービングセルと近隣セルとの対応するサブフレームが前記サービングセル中のＵＬサブフレームと前記近隣セル中のＵＬサブフレームとを備えるとき、前記サービングセルの１つまたは複数のＵＬサブフレームをアンカーフレームに指定するように構成された、請求項４６に記載の装置。
【請求項４８】
前記処理システムは、前記サービングセルと近隣セルとの対応するサブフレームが前記サービングセル中のＵＬサブフレームと前記近隣セル中のＤＬサブフレームとを備えるとき、前記サービングセルの１つまたは複数のＵＬサブフレームを非アンカーサブフレームに指定するように構成された、請求項４６に記載の装置。
【請求項４９】
前記処理システムが、アンカーサブフレームの前記セットと非アンカーサブフレームの前記セットとのための別個のＴＰＣコマンドを受信するように構成された、請求項４６に記載の装置。
【請求項５０】
前記処理システムが、アンカーサブフレームの前記セットに属するサブフレーム中で計算された前記ＴＰＣコマンドに基づいて、ＵＬ送信電力を蓄積するか、または完全に設定するように構成された、請求項４９に記載の装置。
【請求項５１】
前記処理システムが、非アンカーサブフレームの前記セットに属するサブフレーム中で計算された前記ＴＰＣコマンドに基づいて、ＵＬ送信電力を蓄積するか、または完全に設定するように構成された、請求項４９に記載の装置。
【請求項５２】
サービングセルの時分割複信（ＴＤＤ）構成サブフレームと近隣セルの対応するＴＤＤ構成サブフレームとの間の干渉タイプを判断することと、
前記干渉タイプに基づいて前記サービングセル中の装置のための送信電力を設定することと
を行うためのコードを備えるコンピュータ可読媒体
を備える、コンピュータプログラム製品。
【請求項５３】
前記サービングセル中の前記装置がユーザ機器（ＵＥ）を備え、前記コンピュータ可読媒体が、前記ＵＥのためにアップリンク（ＵＬ）開ループ電力制御パラメータのセットを適用するためのコードを備える、請求項５２に記載の製品。
【請求項５４】
前記コンピュータ可読媒体は、
前記サービングセルと前記近隣セルとの対応するサブフレームがＵＬサブフレームであるとき、ＵＬ−ＵＬ干渉タイプを識別することと、
前記サービングセルと前記近隣セルとの対応するサブフレームが前記サービングセル中のＵＬサブフレームと前記近隣セル中のダウンリンク（ＤＬ）サブフレームとを備えるとき、ＵＬ−ＤＬ干渉タイプを識別することと
を行うためのコードを備える、請求項５３に記載の製品。
【請求項５５】
ＵＬ開ループ制御パラメータの前記セットがＵＥ固有構成要素ＰOとセル固有パラメータαとを備え、前記コンピュータ可読媒体が、ＵＬ−ＵＬ干渉タイプをもつ前記サブフレームのために第１のＰOを適用することと、ＵＬ−ＤＬ干渉タイプをもつ前記サブフレームのために第２のＰOを適用することとを行うためのコードを備える、請求項５４に記載の製品。
【請求項５６】
ＵＬ開ループ制御パラメータの前記セットがＵＥ固有構成要素ＰOとセル固有パラメータαとを備え、前記コンピュータ可読媒体が、ＵＬ−ＵＬ干渉タイプをもつ前記サブフレームのために第１のαを適用することと、ＵＬ−ＤＬ干渉タイプをもつ前記サブフレームのために第２のαを適用することとを行うためのコードを備える、請求項５４に記載の製品。
【請求項５７】
ＵＬ開ループ制御パラメータの前記セットがＵＥ固有構成要素ＰOとセル固有パラメータαとを備え、前記コンピュータ可読媒体が、
ＵＬ−ＵＬ干渉タイプをもつ前記サブフレームのために第１のＰOを適用することと、ＵＬ−ＤＬ干渉タイプをもつ前記サブフレームのために第２のＰOを適用することと、
ＵＬ−ＵＬ干渉タイプをもつ前記サブフレームのために第１のαを適用することと、ＵＬ−ＤＬ干渉タイプをもつ前記サブフレームのために第２のαを適用することと
を行うためのコードを備える、請求項５４に記載の製品。
【請求項５８】
前記サービングセル中の前記装置が基地局（ｅＮＢ）を備え、前記コンピュータ可読媒体が、前記ｅＮＢのためのＤＬ送信電力を設定するためのコードを備える、請求項５２に記載の製品。
【請求項５９】
前記コンピュータ可読媒体は、
前記サービングセルと前記近隣セルとの対応するサブフレームが、両方ともＤＬサブフレームであるか、または両方ともスペシャルサブフレームであるとき、ＤＬ−ＤＬ干渉タイプを識別することと、
前記サービングセルと前記近隣セルとの対応するサブフレームが前記サービングセル中のＤＬサブフレームと前記近隣セル中のＵＬサブフレームとを備えるとき、ＤＬ−ＵＬ干渉タイプを識別することと
を行うためのコードを備える、請求項５８に記載の製品。
【請求項６０】
前記コンピュータ可読媒体が、ＤＬ−ＤＬ干渉の場合、前記ＤＬ送信電力を固定の全電力ＤＬ送信に設定するためのコードを備える、請求項５９に記載の製品。
【請求項６１】
前記コンピュータ可読媒体が、ＤＬ−ＵＬ干渉の場合、前記近隣セルのＵＬ開ループ電力制御パラメータに従って前記ＤＬ送信電力を調整するためのコードを備える、請求項５９に記載の製品。
【請求項６２】
前記近隣セルの前記ＵＬ開ループ電力制御パラメータが構成要素ＰOとセル固有パラメータαとを備える、請求項６１に記載の製品。
【請求項６３】
サービングセルの時分割複信（ＴＤＤ）構成のサブフレームをアンカーサブフレームのセットと非アンカーサブフレームのセットとにグループ化することと、
アンカーサブフレームの前記セットと非アンカーサブフレームの前記セットとのためのそれぞれのアップリンク（ＵＬ）送信電力を計算することと
を行うためのコードを備えるコンピュータ可読媒体
を備える、コンピュータプログラム製品。
【請求項６４】
前記コンピュータ可読媒体は、前記サービングセルと近隣セルとの対応するサブフレームが前記サービングセル中のＵＬサブフレームと前記近隣セル中のＵＬサブフレームとを備えるとき、前記サービングセルの１つまたは複数のＵＬサブフレームをアンカーフレームに指定するためのコードを備える、請求項６３に記載の製品。
【請求項６５】
前記コンピュータ可読媒体は、前記サービングセルと近隣セルとの対応するサブフレームが前記サービングセル中のＵＬサブフレームと前記近隣セル中のＤＬサブフレームとを備えるとき、前記サービングセルの１つまたは複数のＵＬサブフレームを非アンカーサブフレームに指定するためのコードを備える、請求項６３に記載の方法。
【請求項６６】
前記コンピュータ可読媒体が、アンカーサブフレームの前記セットと非アンカーサブフレームの前記セットとのための別個のＴＰＣコマンドを受信するためのコードを備える、請求項６３に記載の方法。
【請求項６７】
前記コンピュータ可読媒体が、アンカーサブフレームの前記セットに属するサブフレーム中で計算された前記ＴＰＣコマンドに基づいて、ＵＬ送信電力を蓄積するか、または完全に設定するためのコードを備える、請求項６６に記載の方法。
【請求項６８】
前記コンピュータ可読媒体が、非アンカーサブフレームの前記セットに属するサブフレーム中で計算された前記ＴＰＣコマンドに基づいて、ＵＬ送信電力を蓄積するか、または完全に設定するためのコードを備える、請求項６６に記載の方法。
【発明の詳細な説明】
【技術分野】
【０００１】
[0001]本開示は、一般に通信システムに関し、より詳細には、ＬＴＥ時分割複信（ＴＤＤ：time division duplex）ｅＩＭＴＡのための拡張アップリンクおよびダウンリンク電力制御に関する。
【背景技術】
【０００２】
[0002]ワイヤレス通信システムは、電話、ビデオ、データ、メッセージング、およびブロードキャストなど、様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００３】
[0003]これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ：Long Term Evolution）である。ＬＴＥは、第３世代パートナーシッププロジェクト（３ＧＰＰ：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善することによってモバイルブロードバンドインターネットアクセスをより良くサポートし、コストを下げ、サービスを改善し、新しいスペクトルを利用し、また、ダウンリンク（ＤＬ：downlink）上ではＯＦＤＭＡを使用し、アップリンク（ＵＬ：uplink）上ではＳＣ−ＦＤＭＡを使用し、多入力多出力（ＭＩＭＯ）アンテナ技術を使用して他のオープン規格とより良く統合するように設計されている。しかしながら、モバイルブロードバンドアクセスに対する需要が増大し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００４】
[0004]本開示の一態様では、方法、コンピュータプログラム製品、および装置が提供される。一態様では、本装置は、サービングセルの時分割複信（ＴＤＤ）構成サブフレームと近隣セルの対応するＴＤＤ構成サブフレームとの間の干渉タイプを判断し、干渉タイプに基づいてサービングセル中の装置のための送信電力を設定する。サービングセル中の装置はユーザ機器（ＵＥ：user equipment）であり得、その場合、その装置は、ＵＥのためにアップリンク（ＵＬ）開ループ電力制御パラメータのセットを適用する。サービングセル中の装置は基地局（ｅＮＢ）であり得、その場合、ｅＮＢのためのＤＬ送信電力が設定される。干渉タイプに応じて、ＤＬ送信電力は、固定の全電力ＤＬ送信または調整されたＤＬ送信になり得る。
【０００５】
[0005]別の態様では、本装置は、サービングセルのＴＤＤ構成のサブフレームをアンカーサブフレームのセットと非アンカーサブフレームのセットとにグループ化し、アンカーサブフレームのセットと非アンカーサブフレームのセットとのためのそれぞれのＵＬ送信電力を計算する。
【図面の簡単な説明】
【０００６】
【図１】[0006]ネットワークアーキテクチャの一例を示す図。
【図２】[0007]アクセスネットワークの一例を示す図。
【図３】[0008]ＬＴＥにおけるＤＬフレーム構造の一例を示す図。
【図４】[0009]ＬＴＥにおけるＵＬフレーム構造の一例を示す図。
【図５】[0010]ユーザプレーンおよび制御プレーンのための無線プロトコルアーキテクチャの一例を示す図。
【図６】[0011]アクセスネットワーク中の発展型ノードＢおよびユーザ機器の一例を示す図。
【図７】[0012]第１のＵＥをサービスする第１のセルが、第２のＵＥをサービスする第２のセルと共存する、ＵＬ−ＤＬ共存シナリオを示す図。
【図８】[0013]いくつかのセル中のＴＤＤサブフレームの間の様々なサブフレーム共存状態を示す図。
【図９】[0014]第１のｅＮＢを有する第１のセルと第２のｅＮＢを有する第２のセルとの間の様々な共存シナリオを示す図。
【図１０】[0015]サービングセル内で動作している装置のためのワイヤレス通信のための開ループ電力制御の方法のフローチャート。
【図１１】[0016]装置がＵＥである、図１０のフローチャートに基づくワイヤレス通信のためのＵＬ開ループ電力制御の方法のフローチャート。
【図１２】[0017]装置がｅＮＢである、図１０の方法に基づくワイヤレス通信のためのＤＬ開ループまたはＤＬ固定電力制御の方法のフローチャート。
【図１３】[0018]それぞれのＴＤＤ構成を有する異なる共存するサービングセルと近隣セルとのいくつかの例を示す図。
【図１４】[0019]ＴＤＤ構成とそれらのそれぞれのサブフレームとのテーブルを示す図。
【図１５】[0020]ＵＥによって実行されるワイヤレス通信のためのＵＬ閉ループ電力制御の方法のフローチャート。
【図１６】[0021]図１０中のフローチャートの開ループ電力制御方法を実装する例示的な装置中の異なるモジュール／手段／構成要素間のデータフローを示す概念データフロー図。
【図１７】[0022]図１０中のフローチャートの開ループ電力制御方法を実装する処理システムを採用する装置のためのハードウェア実装形態の一例を示す図。
【図１８】[0023]図１１中のフローチャートのＵＬ開ループ電力制御方法を実装する例示的な装置中の異なるモジュール／手段／構成要素間のデータフローを示す概念データフロー図。
【図１９】[0024]図１１中のフローチャートのＵＬ開ループ電力制御方法を実装する処理システムを採用する装置のためのハードウェア実装形態の一例を示す図。
【図２０】[0025]図１２中のフローチャートのＤＬ電力制御方法を実装する例示的な装置中の異なるモジュール／手段／構成要素間のデータフローを示す概念データフロー図。
【図２１】[0026]図１２中のフローチャートのＤＬ電力制御方法を実装する処理システムを採用する装置のためのハードウェア実装形態の一例を示す図。
【図２２】[0027]図１５中のフローチャートのＵＬ閉ループ電力制御方法を実装する例示的な装置中の異なるモジュール／手段／構成要素間のデータフローを示す概念データフロー図。
【図２３】[0028]図１５中のフローチャートのＵＬ閉ループ電力制御方法を実装する処理システムを採用する装置のためのハードウェア実装形態の一例を示す図。
【図２４】[0029]クラスタ構成がビクティム（victim）からアグレッサ（aggressor）に変化するときの開ループ電力制御を示す図。
【図２５】[0030]クラスタ構成がアグレッサからビクティムに変化するときの開ループ電力制御を示す図。
【発明を実施するための形態】
【０００７】
[0031]添付の図面に関して以下に示す発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【０００８】
[0032]次に、様々な装置および方法に関して電気通信システムのいくつかの態様を提示する。これらの装置および方法について、以下の詳細な説明において説明し、（「要素」と総称される）様々なブロック、モジュール、構成要素、回路、ステップ、プロセス、アルゴリズムなどによって添付の図面に示す。これらの要素は、ハードウェア、ソフトウェア、またはそれらの組合せを使用して実装され得る。そのような要素がハードウェアとして実装されるか、ソフトウェアとして実装されるかは、特定の適用例および全体的なシステムに課された設計制約に依存する。
【０００９】
[0033]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１０】
[0034]したがって、１つまたは複数の例示的な実施形態では、説明する機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、およびフロッピー（登録商標）ディスク（disk）を含み、ディスク（disk）は、通常、データを磁気的に再生し、ディスク（disc）は、データをレーザで光学的に再生する。上記の組合せもコンピュータ可読媒体の範囲内に含まれるべきである。
【００１１】
[0035]図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のＩＰサービス１２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者なら容易に諒解するように、本開示全体にわたって提示する様々な概念は、回線交換サービスを提供するネットワークに拡張され得る。
【００１２】
[0036]Ｅ−ＵＴＲＡＮは、発展型ノードＢ（ｅＮＢ）１０６と他のｅＮＢ１０８とを含む。ｅＮＢ１０６は、ＵＥ１０２に対してユーザプレーンプロトコル終端と制御プレーンプロトコル終端とを与える。ｅＮＢ１０６は、バックホール（たとえば、Ｘ２インターフェース）を介して他のｅＮＢ１０８に接続され得る。ｅＮＢ１０６は、基地局、トランシーバ基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１３】
[0037]ｅＮＢ１０６はＳ１インターフェースによってＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、パケットデータネットワーク（ＰＤＮ：Packet Data Network）ゲートウェイ１１８とを含む。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８は事業者のＩＰサービス１２２に接続される。事業者のＩＰサービス１２２は、インターネットと、イントラネットと、ＩＰマルチメディアサブシステム（ＩＭＳ：IP Multimedia Subsystem）と、ＰＳストリーミングサービス（ＰＳＳ：PS Streaming Service）とを含み得る。
【００１４】
[0038]図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（たとえば、ホームｅＮＢ（ＨｅＮＢ：home eNB））、ピコセル、マイクロセル、またはリモートラジオヘッド（ＲＲＨ：remote radio head）であり得る。マクロｅＮＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例には集中コントローラはないが、代替構成では集中コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。
【００１５】
[0039]アクセスネットワーク２００によって採用される変調および多元接続方式は、展開されている特定の電気通信規格に応じて異なり得る。ＬＴＥ適用例では、周波数分割複信（ＦＤＤ：frequency division duplexing）と時分割複信（ＴＤＤ：time division duplexing）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示する様々な概念はＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、ＣＤＭＡを採用して移動局にブロードバンドインターネットアクセスを提供する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存することになる。
【００１６】
[0040]ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグネチャとともに（１つまたは複数の）ＵＥ２０６に到着し、これにより、（１つまたは複数の）ＵＥ２０６の各々がそのＵＥ２０６に宛てられた１つまたは複数のデータストリームを復元することが可能になる。ＵＬ上で、各ＵＥ２０６は、空間的にプリコードされたデータストリームを送信し、これにより、ｅＮＢ２０４は、空間的にプリコードされた各データストリームのソースを識別することが可能になる。
【００１７】
[0041]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００１８】
[0042]以下の詳細な説明では、ＤＬ上でＯＦＤＭをサポートするＭＩＭＯシステムを参照しながらアクセスネットワークの様々な態様について説明する。ＯＦＤＭは、ＯＦＤＭシンボル内のいくつかのサブキャリアを介してデータを変調するスペクトル拡散技法である。サブキャリアは正確な周波数で離間される。離間は、受信機がサブキャリアからデータを復元することを可能にする「直交性（orthogonality）」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００１９】
[0043]図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックは、周波数領域中に１２個の連続サブキャリアを含んでおり、各ＯＦＤＭシンボル中のノーマルサイクリックプレフィックスについて、時間領域中に７個の連続ＯＦＤＭシンボル、または８４個のリソース要素を含んでいる。拡張サイクリックプレフィックスについて、リソースブロックは、時間領域中に６個の連続ＯＦＤＭシンボルを含んでおり、７２個のリソース要素を有する。Ｒ３０２、３０４として示されるリソース要素のいくつかはＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ：physical DL shared channel）がマッピングされるリソースブロック上のみで送信される。各リソース要素によって搬送されるビット数は変調方式に依存する。したがって、ＵＥが受信するリソースブロックが多いほど、また変調方式が高いほど、ＵＥのデータレートは高くなる。
【００２０】
[0044]図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。ＵＬフレーム構造は、データセクション中の連続するサブキャリアのすべてを単一のＵＥに割り当てることを可能にし得る連続サブキャリアを含むデータセクションを生じる。
【００２１】
[0045]ＵＥには、ｅＮＢに制御情報を送信するために、制御セクション中のリソースブロック４１０ａ、４１０ｂが割り当てられ得る。ＵＥには、ｅＮＢにデータを送信するために、データセクション中のリソースブロック４２０ａ、４２０ｂも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータのみまたはデータと制御情報の両方を送信し得る。ＵＬ送信は、サブフレームの両方のスロットにわたり得、周波数上でホッピングし得る。
【００２２】
[0046]初期システムアクセスを実行し、物理ランダムアクセスチャネル（ＰＲＡＣＨ：physical random access channel）４３０中でＵＬ同期を達成するために、リソースブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みだけを行うことができる。
【００２３】
[0047]図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１と、レイヤ２と、レイヤ３との３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担当する。
【００２４】
[0048]ユーザプレーンでは、Ｌ２レイヤ５０８は、ネットワーク側のｅＮＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含めてＬ２レイヤ５０８の上にいくつかの上位レイヤを有し得る。
【００２５】
[0049]ＰＤＣＰサブレイヤ５１４は、異なる無線ベアラと論理チャネルとの間で多重化を行う。ＰＤＣＰサブレイヤ５１４はまた、無線送信オーバーヘッドを低減するために上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよび再統合と、紛失データパケットの再送信と、ハイブリッド自動再送要求（ＨＡＲＱ：hybrid automatic repeat request）による、順が狂った受信を補正するデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル内の様々な無線リソース（たとえば、リソースブロック）を割り振ることを担当する。ＭＡＣサブレイヤ５１０はまたＨＡＲＱ動作を担当する。
【００２６】
[0050]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（すなわち、無線ベアラ）を取得することと、ｅＮＢとＵＥとの間のＲＲＣシグナリングを使用して下位レイヤを構成することとを担当する。
【００２７】
[0051]図６は、アクセスネットワーク中でＵＥ６５０と通信しているｅＮＢ６１０のブロック図である。ＤＬでは、コアネットワークからの上位レイヤパケットが、コントローラ／プロセッサ６７５に与えられる。コントローラ／プロセッサ６７５はＬ２レイヤの機能を実装する。ＤＬでは、コントローラ／プロセッサ６７５は、様々な優先度メトリックに基づいて、ヘッダ圧縮と、暗号化と、パケットのセグメント化および並べ替えと、論理チャネルとトランスポートチャネルとの間の多重化と、ＵＥ６５０への無線リソース割振りとを行う。コントローラ／プロセッサ６７５はまた、ＨＡＲＱ動作と、紛失パケットの再送信と、ＵＥ６５０へのシグナリングとを担当する。
【００２８】
[0052]送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを可能にするために、コーディングとインターリービングとを含む。コーディングされ変調されたシンボルは、次いで並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルを生成する。ＯＦＤＭストリームは、複数の空間ストリームを生成するために空間的にプリコーディングされる。チャネル推定器６７４からのチャネル推定値は、コーディングおよび変調方式を判断するために、ならびに空間処理のために使用され得る。チャネル推定値は、ＵＥ６５０によって送信される基準信号および／またはチャネル状態フィードバックから導出され得る。各空間ストリームは、次いで、別個の送信機６１８ＴＸを介して異なるアンテナ６２０に与えられる。各送信機６１８ＴＸは、送信のためにそれぞれの空間ストリームでＲＦキャリアを変調する。
【００２９】
[0053]ＵＥ６５０において、各受信機６５４ＲＸは、それのそれぞれのアンテナ６５２を通して信号を受信する。各受信機６５４ＲＸは、ＲＦキャリア上に変調された情報を復元し、受信機（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行する。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅＮＢ６１０によって送信される、可能性が最も高い信号のコンスタレーションポイントを判断することによって復元され、復調される。これらの軟判定は、チャネル推定器６５８によって計算されるチャネル推定値に基づき得る。軟判定は、次いで、物理チャネル上でｅＮＢ６１０によって最初に送信されたデータおよび制御信号を復元するために復号され、デインターリーブされる。データおよび制御信号は、次いでコントローラ／プロセッサ６５９に与えられる。
【００３０】
[0054]コントローラ／プロセッサ６５９はＬ２レイヤを実装する。コントローラ／プロセッサは、プログラムコードとデータとを記憶するメモリ６６０に関連し得る。メモリ６６０はコンピュータ可読媒体と呼ばれることがある。ＵＬでは、コントローラ／プロセッサ６５９は、コアネットワークからの上位レイヤパケットを復元するために、トランスポートチャネルと論理チャネルとの間の多重分離と、パケットリアセンブリと、復号（decipher）と、ヘッダ復元（decompression）と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【００３１】
[0055]ＵＬでは、データソース６６７は、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明した機能と同様に、コントローラ／プロセッサ６５９は、ヘッダ圧縮と、暗号化と、パケットのセグメント化および並べ替えと、ｅＮＢ６１０による無線リソース割振りに基づいた論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作、紛失パケットの再送信、およびｅＮＢ６１０へのシグナリングを担当する。
【００３２】
[0056]ｅＮＢ６１０によって送信される基準信号またはフィードバックからの、チャネル推定器６５８によって導出されるチャネル推定値は、適切なコーディングおよび変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられる。各送信機６５４ＴＸは、送信のためにそれぞれの空間ストリームでＲＦキャリアを変調する。
【００３３】
[0057]ＵＬ送信は、ＵＥ６５０における受信機機能に関して説明した方法と同様の方法でｅＮＢ６１０において処理される。各受信機６１８ＲＸは、それのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０はＬ１レイヤを実装し得る。
【００３４】
[0058]コントローラ／プロセッサ６７５はＬ２レイヤを実装する。コントローラ／プロセッサ６７５は、プログラムコードとデータとを記憶するメモリ６７６に関連し得る。メモリ６７６はコンピュータ可読媒体と呼ばれることがある。ＵＬでは、コントローラ／プロセッサ６７５は、ＵＥ６５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担当する。
【００３５】
[0059]ＴＤＤ  ＬＴＥ、ｅＩＭＴＡ（拡張干渉管理およびトラフィック適応）では、ＴＤＤ構成は、固定サブフレームとフレキシブルサブフレームとを有し得る。固定サブフレームは、それぞれダウンリンク（ＤＬまたはＤ）サブフレーム、アップリンク（ＵＬまたはＵ）サブフレームまたはスペシャル（Ｓ）サブフレームに排他的に指定される。本明細書では「動的」または「適応」サブフレームとも呼ぶフレキシブルサブフレームは、ＵＬサブフレームまたはＤＬサブフレームのいずれかに指定され得る。それらのそれぞれのＴＤＤ構成に応じて、サービングセルおよび近隣セルは、干渉の異なるレベルおよびタイプを経験する。シミュレーション結果は、サービングセルと近隣セルとの対応するサブフレームが異なるリンクタイプサブフレームであるとき、ｅＮＢ間干渉とＵＥ間干渉の両方があり、ｅＮＢ間干渉がより高いレベルにあることを示す。たとえば、サービングセルのサブフレームがＵＬサブフレームであり、近隣セルの対応するサブフレームがＤＬサブフレームであるとき、ｅＮＢ間干渉は高い。このシナリオは「ＵＬ−ＤＬ共存」シナリオと呼ばれる。
【００３６】
[0060]ｅＮＢ間干渉とＵＥ間干渉の一方または両方を受けるサービングセルの性能は、ＵＬ電力制御とＤＬ電力制御とを通して改善され得、ここにおいて、電力制御は、開ループ電力制御タイプまたは閉ループ電力制御タイプのうちの１つであり得る。いずれの場合も、ＵＬ電力制御に関して、影響を受ける（すなわち、干渉される）ＵＬサブフレーム中のＰＵＳＣＨ／ＰＵＣＣＨ性能を改善するためにＵＬ送信電力をブーストすることによって性能が改善され得、ここにおいて、影響を受けるＵＬサブフレームは、近隣セルＤＬサブフレームと共存するサービングセルＵＬサブフレームに対応する。ＤＬ電力制御に関して、影響を受けるＵＬサブフレームに対する干渉を最小限に抑えるために近隣セル中のＤＬ送信電力を減少させることによって性能が改善され得る。
【００３７】
[0061]アップリンク開ループ電力制御：
[0062]図７に、第１のＵＥ７０４をサービスする第１のセル７０２が、第２のＵＥ７０８をサービスする第２のセル７０６と共存するＵＬ−ＤＬ共存シナリオ７００を示す。このシナリオでは、第１のセル７０２はサービングセルであり、第２のセル７０６は近隣セルである。第１のセル７０２のＴＤＤ構成７１０は構成１であり、第２のセル７０６のＴＤＤ構成７１２は構成２である。ＴＤＤ構成の対応するサブフレームは、サブフレーム０、１、３および５で同じまたは共通である。しかしながら、第４のサブフレーム７１４では、サービングセル７０２はＵＬサブフレームであるが、近隣セル７０６はＤＬサブフレームである。この場合、第４のサブフレーム７１４はＵＬ−ＤＬ共存サブフレームである。このサブフレーム中に、近隣セルへのＵＥ−ＵＥ干渉７１６とサービングセルへのｅＮＢ−ｅＮＢ干渉７１８とが存在する。前述のように、ＵＥ−ＵＥ干渉７１６は一般に低いが、ｅＮＢ−ｅＮＢ干渉７１８は一般に高い。
【００３８】
[0063]従来の開ループ電力制御の下で、サービングセル７０２中のＵＬ送信電力は、控えめに低側のほうへ設定され得る。しかしながら、近隣セルへのＵＥ−ＵＥ干渉７１６が概して極めて低いので、サービングセル中のよりアグレッシブな、すなわち、より高いＵＬ送信電力が可能である。また、近隣セル７０６からの高いｅＮＢ−ｅＮＢ干渉７１８のために、サービングセル中のアグレッシブなＵＬ  ＴＸ電力設定が望ましい。
【００３９】
[0064]アップリンクフラクショナル開ループ電力制御は、Ｒｅｌ．８からのＬＴＥでは以下のように指定される。
【数１】
2015530852.tif 000003
【００４０】
ただし、
ＰO_PUSCHは、セル固有構成要素ＰO_nominal_PUSCHとＵＥ固有構成要素ＰO_UE_PUSCHとからなり、
αは、上位レイヤによって与えられる３ビットセル固有パラメータであり、
ＭPUSCHは、モバイルがサブフレームｉ中で送信しているリソースブロックの数であり、
ＰＬはダウンリンク経路損失である。
【００４１】
[0065]ＵＬ−ＤＬ共存中にサービングセル中のＵＥのＵＬ送信電力をブーストするためのいくつかの手法が提示される。これらの手法および得られた電力増加は、影響を受けるＵＬサブフレーム中で物理ＵＬ制御チャネル（ＰＵＣＣＨ：physical UL control channel）と物理ＵＬ共有チャネル（ＰＵＳＣＨ：physical UL shared channel）との性能を改善する。これらの手法の各々では、ＵＬ−ＵＬ干渉の場合とＵＬ−ＤＬ干渉の場合とについて、それぞれ異なる開ループ電力制御パラメータが使用される。
【００４２】
[0066]第１の手法では、（Ｐｏ，α）の２つのセットが定義され、その各々は、特定のサブフレームの共存状態に対応する異なるＰOパラメータを有する。一方のセットは（ＰO_nominal_PUSCH＋ＰO_UE_PUSCH_UL-UL，α）であり、他方のセットは（ＰO_nominal_PUSCH＋ＰO_UE_PUSCH_UL-DL，α）である。この手法の下で、サービングセル７０２中のＵＥ７０４がＵＬサブフレーム７２０上にあり、また、それの近隣セル７０６がＵＬサブフレーム７２２上にある場合、開ループ電力制御パラメータ（ＰO_nominal_PUSCH＋ＰO_UE_PUSCH_UL-UL，α）はＵＥ７０４によってＵＬ送信のために使用される。ＵＥ７０４がＵＬサブフレーム７２４上にあり、それの近隣セル７０６がＤＬサブフレーム７２６上にある場合、開ループ電力制御パラメータ（ＰO_nominal_PUSCH＋ＰO_UE_PUSCH_UL-DL，α）はＵＥ７０４によってＵＬ送信のために使用される。
【００４３】
[0067]第２の手法では、（ＰO，α）の２つのセットが定義され、その各々は、特定のサブフレームの共存状態に対応する異なるαパラメータを有する。一方のセットは（ＰO，α_UL_UL）であり、他方のセットは（ＰO，α_UL_DL）である。この手法の下で、サービングセル７０２のＵＥ７０４がＵＬサブフレーム７２０上にあり、また、それの近隣セル７０６がＵＬサブフレーム７２２上にある場合、開ループ電力制御パラメータ（ＰO，α_UL_UL）はＵＥ７０４によってＵＬ送信のために使用される。ＵＥ７０４がＵＬサブフレーム７２４上にあり、それの近隣セル７０６がＤＬサブフレーム７２６上にある場合、開ループ電力制御パラメータ（ＰO，α_UL_DL）はＵＥ７０４によってＵＬ送信のために使用される。
【００４４】
[0068]第３の手法では、（ＰO，α）の２つのセットが定義され、その各々は、特定のサブフレームの共存状態に対応する異なるＰOパラメータと異なるαパラメータとを有する。この手法の下で、サービングセル７０２中のＵＥ７０４がＵＬサブフレーム７２０上にあり、また、それの近隣セル７０６がＵＬサブフレーム７２２上にある場合、開ループ電力制御パラメータ（ＰO_nominal_PUSCH＋ＰO_UE_PUSCH_UL-UL，α_UL_UL）はＵＥ７０４によってＵＬ送信のために使用される。ＵＥ７０４がＵＬサブフレーム７２４上にあり、それの近隣セル７０６がＤＬサブフレーム７２６上にある場合、開ループ電力制御パラメータ（ＰO_nominal_PUSCH＋ＰO_UE_PUSCH_UL-DL，α_UL_DL）はＵＥ７０４によってＵＬ送信のために使用される。
【００４５】
[0069]３つの手法の各々では、近隣セル７０６のＩＤは、近隣セルのＵＥのＲＳＲＰ測定値から最も高いＲＳＲＰを選択することによって判断され得る。近隣セル７０６のＴＤＤ構成は、サービングセル７０２の基地局７２８と近隣セル７０６の基地局７３０との間のＸ２インターフェースメッセージを通して取得され得る。
【００４６】
[0070]図８に、いくつかのセル８０２、８０４、８０６中のＴＤＤサブフレームの間の様々なサブフレーム共存状態８００を示す。１つの共存状態では、第１のセル８０２内の第１のＵＥ８０８は第２のセル８０４に近い。第１のセル８０２は第１のＴＤＤ構成８１０を有するが、第２のセル８０４は第２のＴＤＤ構成８１２を有する。第１のセルＴＤＤ構成８１０と第２のセルＴＤＤ構成８１２との第３のサブフレーム８１４中に、第１のセル８０２はＵＬ方向にあるが、第２のセル８０４はＤＬ方向にある。このＵＬ−ＤＬ共存構成では、第１のセル８０２はｅＮＢ−ｅＮＢ干渉８１６を受けるが、第２のセル８０４内のＵＥ８１８はＵＥ−ＵＥ干渉８２０を受ける。この条件の下で、第３のサブフレーム中の第１のＵＥ８０８によるＵＬ送信のために選択されたパラメータ（ＰO，α）は、（ＰO_nominal_PUSCH＋ＰO_UE_PUSCH_UL-DL，α）である。
【００４７】
[0071]第１のセルＴＤＤ構成８１０と第２のセルＴＤＤ構成８１２との第２のサブフレーム８２２中に、第１のセル８０２はＵＬ方向にあり、第２のセル８０８はＵＬ方向にある。このＵＬ−ＵＬ共存構成では、第２のサブフレーム中の第１のＵＥ８０８によるＵＬ送信のために選択されたパラメータ（ＰO，α）は、（ＰO_nominal_PUSCH＋ＰO_UE_PUSCH_UL-UL，α）である。
【００４８】
[0072]第２の共存条件では、第１のセル８０２内の第２のＵＥ８２４は第３のセル８０６に近い。第１のセル８０２は第１のＴＤＤ構成８１０を有するが、第３のＴＤＤ構成８２６を有する第３のセル８０６。第１のセルＴＤＤ構成８１０と第３のセルＴＤＤ構成８２６との第３のサブフレーム８１４中に、第１のセル８０２はＵＬ方向にあるが、第３のセル８０６はＤＬ方向にある。このＵＬ−ＤＬ共存構成では、第３のサブフレーム中の第２のＵＥ８２４によるＵＬ送信のために選択されたパラメータ（ＰO，α）は、（ＰO_nominal_PUSCH＋ＰO_UE_PUSCH_UL-DL，α）である。
【００４９】
[0073]第１のセルＴＤＤ構成８１０と第３のセルＴＤＤ構成８２６との第２のサブフレーム８２２中に、第１のセル８０２はＵＬ方向にあり、第３のセル８０６はＵＬ方向にある。このＵＬ−ＵＬ共存構成では、第２のサブフレーム中の第２のＵＥ８２４によるＵＬ送信のために選択されたパラメータ（ＰO，α）は、（ＰO_nominal_PUSCH＋ＰO_UE_PUSCH_UL-UL，α）である。
【００５０】
[0074]ダウンリンク開ループ電力制御：
[0075]上述のように、ｅＮＢ間干渉とＵＥ間干渉の一方または両方を受けるサービングセルの性能は、サービングセル中の影響を受けるＵＬサブフレームに対する干渉を最小限に抑えるために近隣セル中のＤＬ送信電力を減少させることによってＤＬ電力制御を通して改善され得る。ＤＬ電力制御に対する１つの手法では、そのようなＤＬ電力制御に基づいて送信することになる近隣中のｅＮＢは、ＵＥとして扱われ、近隣セル中のＵＥの開ループ電力制御パラメータ（Ｐｏ，α）は、サービングセル中のｅＮＢへの干渉が制御され得るようにそのｅＮＢに適用される。ＵＬ−ＤＬ共存の場合、開ループ電力制御パラメータ（Ｐｏ，α）は、ｅＮＢ  ＤＬ電力制御のために使用される。ＤＬ−ＤＬ共存の場合、通常固定ＤＬ電力は、ｅＮＢ  ＤＬ電力制御のために使用される。
【００５１】
[0076]図９に、第１のｅＮＢ９０４と第１のＵＥ９１８とを有する第１のセル９０２および第２のｅＮＢ９０８と第２のＵＥ９１６とを有する第２のセル９０６の間の様々な共存シナリオ９００を示す。これらのシナリオでは、第１のセル９０２は近隣セルであり、第２のセル９０６はサービングセルである。第１のセル９０２のＴＤＤ構成９１０は構成１であり、第２のセル９０６のＴＤＤ構成９１２は構成２である。ＴＤＤ構成の対応するサブフレームは、サブフレーム０、１、２および４で同じまたは共通である。両方ともＤＬサブフレームまたはスペシャルサブフレームのいずれかであるそれらの共通サブフレームの場合、対応するサブフレーム中でサービングセル９０６のｅＮＢ９０８によって固定の全電力ＤＬ送信電力が使用される。図９に示された場合には、サブフレーム０および４は共通ＤＬサブフレームであるが、サブフレーム１は共通スペシャルサブフレームである。固定の全ＤＬ送信電力は、これらのサブフレームの各々中にサービングセル９０６中のｅＮＢ９０８によって使用されることになる。
【００５２】
[0077]第３のサブフレーム９２２中で、近隣セル９０２はＵＬサブフレームであるが、サービングセル９０６はＤＬサブフレームである。この場合、第３のサブフレーム９２２はＤＬ−ＵＬ共存サブフレームである。第３のサブフレーム中に、近隣セル９０２中のＵＥ９１８からサービングセル９０６中のＵＥ９１６へのＵＥ間干渉９１４が存在する。同様に、サービングセル９０６中のｅＮＢ９０８から近隣セル９０２中のｅＮＢ９０４へのｅＮＢ間干渉９２０が存在する。ＤＬ−ＵＬ共存サブフレームの場合、サービングセル９０６中のｅＮＢ９０８のＤＬ送信電力は、そのサブフレーム上で近隣セル９０２のＵＬ開ループ電力制御パラメータ（Ｐｏ，α）に基づいて設定される。たとえば、ＵＬ電力制御に関して上記で説明した開ループ電力制御に従って、ＤＬ−ＵＬ共存の場合、電力制御パラメータ（Ｐｏ，α）は（ＰO_nominal_PUSCH＋ＰO_UE_PUSCH_UL-DL，α）であり得る。第３のサブフレーム中のサービングセル９０６のｅＮＢ９０８のＤＬ送信電力は、これらのパラメータに従って設定されることになり、同じサブフレーム上で近隣セル９０２中のＵＥ９１８によって使用されるＵＬ送信電力に本質的に等しくなる。
【００５３】
[0078]ＵＬ電力制御の場合のように、上記について説明し、近隣セル９０２のＴＤＤ構成は、近隣セル９０２の基地局９０４とサービングセル９０６の基地局９０８との間のＸ２インターフェースメッセージを通して取得され得る。
【００５４】
[0079]図１０は、ワイヤレス通信のための開ループ電力制御の方法のフローチャート１０００である。本方法は、装置、たとえば、ＵＥまたはｅＮＢによって実行され得る。ステップ１００２において、サービングセルのＴＤＤ構成サブフレームと近隣セルの対応するＴＤＤ構成サブフレームとの間の干渉タイプを判断する。ステップ１００４において、干渉タイプに基づいてサービングセル中の装置のための送信電力を設定する。
【００５５】
[0080]図１１は、サービングセル中の装置がＵＥであり、送信電力がＵＬ開ループ電力制御に対応する場合の図１０のフローチャートに基づくワイヤレス通信のためのＵＬ開ループ電力制御の方法のフローチャート１１００である。本方法はＵＥによって実行され得る。
【００５６】
[0081]ステップ１１０２において、サービングセルと近隣セルとの対応するサブフレームがＵＬサブフレームであるとき、ＵＬ−ＵＬ干渉タイプを識別する。このタイプの識別は、たとえば、図７のサブフレーム２に対応する。
【００５７】
[0082]ステップ１１０４において、サービングセルと近隣セルとの対応するサブフレームがサービングセル中のＵＬサブフレームと近隣セル中のＤＬサブフレームとを備えるとき、ＵＬ−ＤＬ干渉タイプを識別する。このタイプの識別は、たとえば、図７のサブフレーム３に対応する。
【００５８】
[0083]ステップ１１０６において、干渉タイプに基づいて、ＵＬ開ループ電力制御パラメータのセットをサービングセル中のＵＥに適用する。ＵＬ開ループ制御パラメータのセットは、上記で説明した開ループ電力制御式中に含まれるＵＥ固有構成要素ＰOとセル固有パラメータαとであり得る。
【００５９】
[0084]いくつかのパラメータアプリケーションのうちの１つが行われ得る。たとえば、ステップ１１０８において、ＵＬ−ＵＬ干渉タイプをもつＵＬサブフレーム中で第１のＰOを適用し、ＵＬ−ＤＬ干渉タイプをもつＵＬサブフレーム中で第２のＰOを適用する。代替的に、ステップ１１１０において、ＵＬ−ＵＬ干渉タイプをもつＵＬサブフレーム中で第１のαを適用し、ＵＬ−ＤＬ干渉タイプをもつＵＬサブフレーム中で第２のαを適用する。代替的に、ステップ１１１２において、ＵＬ−ＵＬ干渉タイプをもつＵＬサブフレーム中で第１のＰOと第１のαの両方を適用するが、ＵＬ−ＤＬ干渉タイプをもつＵＬサブフレーム中で第２のＰOと第２のαの両方を適用する。
【００６０】
[0085]図１２は、サービングセル中の装置がｅＮＢであり、送信電力が、ｅＮＢが使用するＤＬ送信電力に対応する場合の図１０の方法に基づくワイヤレス通信のためのＤＬ電力制御の方法のフローチャート１２００である。本方法はｅＮＢによって実行され得る。
【００６１】
[0086]ステップ１２０２において、サービングセルと近隣セルとの対応するサブフレームが、両方ともダウンリンクサブフレームであるか、または両方ともスペシャルサブフレームであるとき、ＤＬ−ＤＬ干渉タイプを識別する。このタイプの識別は、たとえば、図９のサブフレーム０、１、および４に対応する。
【００６２】
[0087]ステップ１２０４において、サービングセルと近隣セルとの対応するサブフレームがサービングセル中のＤＬサブフレームと近隣セル中のＵＬサブフレームとを含むとき、ＤＬ−ＵＬ干渉タイプを識別する。このタイプの識別は、たとえば、図９のサブフレーム３に対応する。
【００６３】
[0088]ステップ１２０６において、干渉タイプがＤＬ−ＤＬ干渉である場合、ＤＬ送信電力を固定の全電力ＤＬ送信に設定する。代替的に、ステップ１２０８において、干渉タイプがＤＬ−ＵＬ干渉である場合、近隣セルの開ループ電力制御パラメータ（たとえば、ＰOおよびα）に従ってＤＬ送信電力を設定する。
【００６４】
[0089]アップリンク閉ループ電力制御：
[0090]上述のように、ｅＮＢ間干渉とＵＥ間干渉の一方または両方を受けるサービングセルの性能は、ＵＬ送信電力をブーストすることによって、ＵＬ電力制御を通して改善され得る。ＵＬ閉ループ電力制御に関して、ＴＤＤ構成サブフレームの異なるセットについて異なる電力制御ループを使用することによって、電力ブーストが行われる。サブフレームのこれらのセットは、サービングセルと近隣セルとの対応するサブフレームの共存条件に基づいて形成される。
【００６５】
[0091]サービングセルサブフレーム中のＵＬと近隣セルサブフレーム中のＵＬとを有する対応するサブフレーム（本明細書では「非ＵＬ／ＤＬ共存」サブフレームと呼ぶ）は、アンカーサブフレームに指定される。サービングセルサブフレーム中のＵＬと近隣セルサブフレーム中のＤＬとを有する対応するサブフレーム（本明細書では「ＵＬ／ＤＬ共存」サブフレームと呼ぶ）は、非アンカーサブフレームに指定される。
【００６６】
[0092]図１３に、それぞれのＴＤＤ構成を有する、異なる共存するサービングセルと近隣セルとのいくつかの例１３００を示す。ＴＤＤ構成１のサービングセルがＴＤＤ構成２の近隣セルと共存するケース１３０２では、サブフレーム２／７は非ＵＬ／ＤＬ共存サブフレームであり、したがって、アンカーサブフレームに指定される。サブフレーム３／８はＵＬ／ＤＬ共存サブフレームであり、したがって、非アンカーサブフレームに指定される。
【００６７】
[0093]ＴＤＤ構成６のサービングセルがＴＤＤ構成３の近隣セルと共存するケース１３０４では、サブフレーム２／３／４は非ＵＬ／ＤＬ共存サブフレームであり、したがって、アンカーサブフレームに指定される。サブフレーム７／８はＵＬ／ＤＬ共存サブフレームであり、したがって、非アンカーサブフレームに指定される。
【００６８】
[0094]ＴＤＤ構成３のサービングセルがＴＤＤ構成４の近隣セルと共存するケース１３０６では、サブフレーム２／３は非ＵＬ／ＤＬ共存サブフレームであり、したがって、アンカーサブフレームに指定される。サブフレーム４はＵＬ／ＤＬ共存サブフレームであり、したがって、非アンカーサブフレームに指定される。
【００６９】
[0095]ＴＤＤ構成１のサービングセルがＴＤＤ構成５の近隣セルと共存するケース１３０８では、サブフレーム２は非ＵＬ／ＤＬ共存サブフレームであり、したがって、アンカーサブフレームに指定される。サブフレーム３／７／８はＵＬ／ＤＬ共存サブフレームであり、したがって、非アンカーサブフレームに指定される。
【００７０】
[0096]アンカーサブフレームと非アンカーサブフレームとが定義されると、アンカーサブフレームと非アンカーサブフレームとについて、それぞれ、異なる電力制御ループが判断される。アンカーサブフレームは、アンカーサブフレームの復号ステータスに基づいて生成されるＴＰＣコマンドに従うが、非アンカーサブフレームは、非アンカーサブフレームの復号ステータスに基づいて生成されるＴＰＣコマンドに従う。アンカーサブフレームと非アンカーサブフレームとのための別個のＴＰＣコマンドを与えるために、図１４に示されたテーブル１４００に示されているように、ＴＤＤ構成０について新しいタイムラインが確立される。蓄積電力制御と絶対電力制御の両方のために、ｅＮＢは、アンカーサブフレームセットと非アンカーサブフレームセットとの２つのループから、図１４に示されたテーブル１４００に示されているのと同じサブフレームセット中にある有効サブフレームをもつ対応するＤＬサブフレームにＴＰＣコマンドをマッピングすることができる。
【００７１】
[0097]蓄積電力制御の場合、２つのクローズループが維持されるので、アンカーサブフレームセットと非アンカーサブフレームとの中のＵＥ  ＰＵＳＣＨ電力の設定は、以下のように単独で蓄積される。
【００７２】
[0098]
【数２】
2015530852.tif 000004
【００７３】
[0099]ただし、ｍは、ｉの同じサブフレームセットに属するサブフレーム（アンカーサブフレームまたは非アンカーサブフレーム）に限定される。
【００７４】
[0100]図１５は、ワイヤレス通信のためのＵＬ閉ループ電力制御の方法のフローチャート１５００である。本方法はＵＥによって実行され得る。ステップ１５０２において、サービングセルのＴＤＤ構成のサブフレームをアンカーサブフレームのセットと非アンカーサブフレームのセットとにグループ化する。そのようなグループ化は、サービングセルと近隣セルとの対応するサブフレームの比較に基づき得る。
【００７５】
[0101]たとえば、ステップ１５０４において、サービングセルと近隣セルとの対応するサブフレームがサービングセル中のＵＬサブフレームと近隣セル中のＵＬサブフレームとを備えるとき、サービングセルの１つまたは複数のＵＬサブフレームをアンカーフレームに指定する。このタイプの指定は、たとえば、図１３のケース１３０２中のサブフレーム２／７に対応する。
【００７６】
[0102]別の例では、ステップ１５０６において、サービングセルと近隣セルとの対応するサブフレームがサービングセル中のＵＬサブフレームと近隣セル中のＤＬサブフレームとを備えるとき、サービングセルの１つまたは複数のＵＬサブフレームを非アンカーサブフレームに指定する。このタイプの指定は、たとえば、図１３のケース１３０２中のサブフレーム３／８に対応する。
【００７７】
[0103]ステップ１５０８において、アンカーサブフレームのセットと非アンカーサブフレームのセットとのためのそれぞれのＵＬ送信電力を計算する。この目的で、ステップ１５１０において、アンカーサブフレームのセットと非アンカーサブフレームのセットとのための別個のＴＰＣコマンドを受信する。次いで、ステップ１５１２において、アンカーサブフレームのセットに属するサブフレーム中で計算されたＴＰＣコマンドに基づいて、ＵＬ送信電力を蓄積するか、または完全に設定することによって、アンカーサブフレームのためのＵＬ送信電力を計算する。最終的に、ステップ１５１４において、非アンカーサブフレームのセットに属するサブフレーム中で計算されたＴＰＣコマンドに基づいて、ＵＬ送信電力を蓄積するか、または完全に設定することによって、非アンカーサブフレームのためのＵＬ送信電力を計算する。
【００７８】
[0104]開ループ電力制御装置
[0105]図１６は、開ループ電力制御のための例示的な装置１６０２の異なるモジュール／手段／構成要素間のデータフローを示す概念データフロー図１６００である。本装置は、ＵＥまたは、およびｅＮＢであり得る。本装置は、サービングセルの時分割複信（ＴＤＤ）構成サブフレームと近隣セルの対応するＴＤＤ構成サブフレームとの間の干渉タイプを判断する干渉判断モジュール１６０４と、干渉タイプに基づいてサービングセル中の装置のための送信電力を設定する電力設定モジュール１６０６と、送信電力に基づく情報を送信する送信モジュール１６０８とを含む。
【００７９】
[0106]本装置は、図１０の上述のフローチャート中のアルゴリズムのステップの各々を実行する追加のモジュールを含み得る。したがって、図１０の上述のフローチャート中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００８０】
[0107]図１７は、開ループ電力制御のための処理システム１７１４を採用する装置１６０２’のためのハードウェア実装形態の一例を示す図１７００である。処理システム１７１４は、バス１７２４によって概略的に表されるバスアーキテクチャを用いて実装され得る。バス１７２４は、処理システム１７１４の特定の適用例および全体的な設計制約に応じて、任意の数の相互接続バスおよびブリッジを含み得る。バス１７２４は、プロセッサ１７０４によって表される１つまたは複数のプロセッサおよび／またはハードウェアモジュールと、モジュール１６０４、１６０６、１６０８と、コンピュータ可読媒体１７０６とを含む様々な回路を互いにリンクする。バス１７２４はまた、タイミングソース、周辺機器、電圧調整器、および電力管理回路など、様々な他の回路をリンクし得るが、これらの回路は当技術分野においてよく知られており、したがって、これ以上説明しない。
【００８１】
[0108]処理システム１７１４はトランシーバ１７１０に結合され得る。トランシーバ１７１０は、１つまたは複数のアンテナ１７２０に結合される。トランシーバ１７１０は、伝送媒体を介して様々な他の装置と通信するための手段を与える。処理システム１７１４は、コンピュータ可読媒体１７０６に結合されたプロセッサ１７０４を含む。プロセッサ１７０４は、コンピュータ可読媒体１７０６に記憶されたソフトウェアの実行を含む一般的な処理を担当する。ソフトウェアは、プロセッサ１７０４によって実行されたとき、処理システム１７１４に、任意の特定の装置のための上記で説明した様々な機能を実行させる。コンピュータ可読媒体１７０６はまた、ソフトウェアを実行するときにプロセッサ１７０４によって操作されるデータを記憶するために使用され得る。処理システムは、モジュール１６０４、１６０６、および１６０８のうちの少なくとも１つをさらに含む。それらのモジュールは、プロセッサ１７０４中で動作するか、コンピュータ可読媒体１７０６中に常駐する／記憶されたソフトウェアモジュールであるか、プロセッサ１７０４に結合された１つまたは複数のハードウェアモジュールであるか、またはそれらの何らかの組合せであり得る。処理システム１７１４は、ｅＮＢ６１０の構成要素であり得、メモリ６７６、および／またはＴＸプロセッサ６１６と、ＲＸプロセッサ６７０と、コントローラ／プロセッサ６７５とのうちの少なくとも１つを含み得る。処理システム１７１４は、ＵＥ６５０の構成要素であり得、メモリ６６０、および／またはＴＸプロセッサ６６８と、ＲＸプロセッサ６５６と、コントローラ／プロセッサ６５９とのうちの少なくとも１つを含み得る。
【００８２】
[0109]一構成では、ワイヤレス通信のための装置１６０２／１６０２’は、サービングセルのＴＤＤ構成サブフレームと近隣セルの対応するＴＤＤ構成サブフレームとの間の干渉タイプを判断するための手段と、干渉タイプに基づいてサービングセル中の装置のための送信電力を設定するための手段とを含む。上述の手段は、上述の手段によって具陳された機能を実行するように構成された、装置１６０２、および／または装置１６０２’の処理システム１７１４の上述のモジュールのうちの１つまたは複数であり得る。装置がｅＮＢである場合、上記で説明したように、処理システム１７１４は、ＴＸプロセッサ６１６と、ＲＸプロセッサ６７０と、コントローラ／プロセッサ６７５とを含み得る。したがって、一構成では、上述の手段は、上述の手段によって具陳された機能を実行するように構成されたＴＸプロセッサ６１６と、ＲＸプロセッサ６７０と、コントローラ／プロセッサ６７５とであり得る。装置がＵＥである場合、上記で説明したように、処理システム１７１４は、ＴＸプロセッサ６６８と、ＲＸプロセッサ６５６と、コントローラ／プロセッサ６５９とを含み得る。したがって、一構成では、上述の手段は、上述の手段によって具陳された機能を実行するように構成されたＴＸプロセッサ６６８と、ＲＸプロセッサ６５６と、コントローラ／プロセッサ６５９とであり得る。
【００８３】
[0110]ＵＬ開ループ電力制御装置
[0111]図１８は、ＵＬ開ループ電力制御のための例示的な装置１８０２の異なるモジュール／手段／構成要素間のデータフローを示す概念データフロー図１８００である。本装置はＵＥであり得る。装置１８０２は、サービングセルと近隣セルとの対応するサブフレームがＵＬサブフレームであるとき、ＵＬ−ＵＬ干渉タイプを識別することと、サービングセルと近隣セルとの対応するサブフレームがサービングセル中のＵＬサブフレームと近隣セル中のＤＬサブフレームとを備えるとき、ＵＬ−ＤＬ干渉タイプを識別することとを行う干渉タイプ識別モジュール１８０４を含む。装置１８０２はまた、ＵＥ固有構成要素ＰOとセル固有パラメータαとを含む、ＵＬ開ループ電力制御パラメータのセットを適用するＵＬ開ループ電力制御パラメータモジュール１８０６を含む。パラメータは、干渉タイプに基づいて適用される。たとえば、１つの構成では、パラメータモジュール１８０６は、ＵＬ−ＵＬ干渉タイプをもつサブフレームのために第１のＰOを適用し、ＵＬ−ＤＬ干渉タイプをもつサブフレームのために第２のＰOを適用する。別の構成では、パラメータモジュール１８０６は、ＵＬ−ＵＬ干渉タイプをもつサブフレームのために第１のαを適用し、ＵＬ−ＤＬ干渉タイプをもつサブフレームのために第２のαを適用する。また別の構成では、パラメータモジュール１８０６は、ＵＬ−ＵＬ干渉タイプをもつサブフレームのために第１のＰOを適用し、ＵＬ−ＤＬ干渉タイプをもつサブフレームのために第２のＰOを適用し、ＵＬ−ＵＬ干渉タイプをもつサブフレームのために第１のαを適用し、ＵＬ−ＤＬ干渉タイプをもつサブフレームのために第２のαを適用する。装置１８０２は、ＵＬ開ループ電力制御パラメータのセットに基づく情報を、たとえば、ｅＮＢ１８１０に送信する送信モジュール１８０８をさらに含む。
【００８４】
[0112]装置１８０２は、図１１の上述のフローチャート中のアルゴリズムのステップの各々を実行する追加のモジュールを含み得る。したがって、図１１の上述のフローチャート中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００８５】
[0113]図１９は、ＵＬ開ループ電力制御のための処理システム１９１４を採用する装置１８０２’のためのハードウェア実装形態の一例を示す図１９００である。処理システム１９１４は、バス１９２４によって概略的に表されるバスアーキテクチャを用いて実装され得る。バス１９２４は、処理システム１９１４の特定の適用例および全体的な設計制約に応じて、任意の数の相互接続バスおよびブリッジを含み得る。バス１９２４は、プロセッサ１９０４によって表される１つまたは複数のプロセッサおよび／またはハードウェアモジュールと、モジュール１８０４、１８０６、１８０８と、コンピュータ可読媒体１９０６とを含む様々な回路を互いにリンクする。バス１９２４はまた、タイミングソース、周辺機器、電圧調整器、および電力管理回路など、様々な他の回路をリンクし得るが、これらの回路は当技術分野においてよく知られており、したがって、これ以上説明しない。
【００８６】
[0114]処理システム１９１４はトランシーバ１９１０に結合され得る。トランシーバ１９１０は、１つまたは複数のアンテナ１９２０に結合される。トランシーバ１９１０は、伝送媒体を介して様々な他の装置と通信するための手段を与える。処理システム１９１４は、コンピュータ可読媒体１９０６に結合されたプロセッサ１９０４を含む。プロセッサ１９０４は、コンピュータ可読媒体１９０６に記憶されたソフトウェアの実行を含む一般的な処理を担当する。ソフトウェアは、プロセッサ１９０４によって実行されたとき、処理システム１９１４に、任意の特定の装置のための上記で説明した様々な機能を実行させる。コンピュータ可読媒体１９０６はまた、ソフトウェアを実行するときにプロセッサ１９０４によって操作されるデータを記憶するために使用され得る。処理システムは、モジュール１８０４、１８０６、および１８０８のうちの少なくとも１つをさらに含む。それらのモジュールは、プロセッサ１９０４中で動作するか、コンピュータ可読媒体１９０６中に常駐する／記憶されたソフトウェアモジュールであるか、プロセッサ１９０４に結合された１つまたは複数のハードウェアモジュールであるか、またはそれらの何らかの組合せであり得る。処理システム１９１４は、ＵＥ６５０の構成要素であり得、メモリ６６０、および／またはＴＸプロセッサ６６８と、ＲＸプロセッサ６５６と、コントローラ／プロセッサ６５９とのうちの少なくとも１つを含み得る。
【００８７】
[0115]一構成では、ワイヤレス通信のための装置１８０２／１８０２’は、サービングセルと近隣セルとの対応するサブフレームがＵＬサブフレームであるとき、ＵＬ−ＵＬ干渉タイプを識別することと、サービングセルと近隣セルとの対応するサブフレームがサービングセル中のＵＬサブフレームと近隣セル中のＤＬサブフレームとを備えるとき、ＵＬ−ＤＬ干渉タイプを識別することとを行うように構成された、干渉タイプを判断するための手段を含む。装置１８０２／１８０２’はまた、ＵＥ固有構成要素ＰOとセル固有パラメータαとを含むＵＬ開ループ電力制御パラメータのセットを適用するための手段を含む。ＵＬ開ループ制御パラメータのセットを適用するための手段は、ＵＬ−ＵＬ干渉タイプをもつサブフレームのために第１のＰOを適用することと、ＵＬ−ＤＬ干渉タイプをもつサブフレームのために第２のＰOを適用することとを行うように構成され得る。ＵＬ開ループ電力制御パラメータのセットを適用するための手段はまた、ＵＬ−ＵＬ干渉タイプをもつサブフレームのために第１のαを適用することと、ＵＬ−ＤＬ干渉タイプをもつサブフレームのために第２のαを適用することとを行うように構成され得る。ＵＬ開ループ電力制御パラメータのセットを適用するための手段はまた、ＵＬ−ＵＬ干渉タイプをもつサブフレームのために第１のＰOを適用することと、ＵＬ−ＤＬ干渉タイプをもつサブフレームのために第２のＰOを適用することと、ＵＬ−ＵＬ干渉タイプをもつサブフレームのために第１のαを適用することと、ＵＬ−ＤＬ干渉タイプをもつサブフレームのために第２のαを適用することとを行うように構成され得る。
【００８８】
[0116]上述の手段は、上述の手段によって具陳された機能を実行するように構成された、装置１８０２、および／または装置１８０２’の処理システム１９１４の上述のモジュールのうちの１つまたは複数であり得る。上記で説明したように、処理システム１９１４は、ＴＸプロセッサ６６８と、ＲＸプロセッサ６５６と、コントローラ／プロセッサ６５９とを含み得る。したがって、一構成では、上述の手段は、上述の手段によって具陳された機能を実行するように構成されたＴＸプロセッサ６６８と、ＲＸプロセッサ６５６と、コントローラ／プロセッサ６５９とであり得る。
【００８９】
[0117]ＤＬ電力制御装置
[0118]図２０は、ＤＬ電力制御のための例示的な装置２００２中の異なるモジュール／手段／構成要素間のデータフローを示す概念データフロー図２０００である。本装置はｅＮＢであり得る。本装置は、サービングセルと近隣セルとの対応するサブフレームが、両方ともＤＬサブフレームであるか、または両方ともスペシャルサブフレームであるとき、ＤＬ−ＤＬ干渉タイプを識別し、サービングセルと近隣セルとの対応するサブフレームがサービングセル中のＤＬサブフレームと近隣セル中のＵＬサブフレームとを含むとき、ＤＬ−ＵＬ干渉タイプを識別する干渉タイプ識別モジュール２００４を含む。装置２００２はまた、ＤＬ−ＤＬ干渉の場合、ＤＬ送信電力を固定の全電力ＤＬ送信に設定するＤＬ−ＤＬ干渉電力設定モジュール２００６と、ＤＬ−ＵＬ干渉の場合、近隣セルのＵＬ開ループ電力制御パラメータ（ＰO，α）に従ってＤＬ送信電力を調整するＤＬ−ＵＬ干渉電力設定モジュールとを含む。装置２００２はまた、設定または調整されたＤＬ送信電力に基づく情報を、たとえば、ＵＥ２０１２に送信する送信モジュール２０１０を含む。
【００９０】
[0119]装置２００２は、図１２の上述のフローチャート中のアルゴリズムのステップの各々を実行する追加のモジュールを含み得る。したがって、図１２の上述のフローチャート中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００９１】
[0120]図２１は、ＤＬ電力制御のための処理システム２１１４を採用する装置２００２’のためのハードウェア実装形態の一例を示す図２１００である。処理システム２１１４は、バス２１２４によって概略的に表されるバスアーキテクチャを用いて実装され得る。バス２１２４は、処理システム２１１４の特定の適用例および全体的な設計制約に応じて、任意の数の相互接続バスおよびブリッジを含み得る。バス２１２４は、プロセッサ２１０４によって表される１つまたは複数のプロセッサおよび／またはハードウェアモジュールと、モジュール２００４、２００６、２００８、２０１０と、コンピュータ可読媒体２１０６とを含む様々な回路を互いにリンクする。バス２１２４はまた、タイミングソース、周辺機器、電圧調整器、および電力管理回路など、様々な他の回路をリンクし得るが、これらの回路は当技術分野においてよく知られており、したがって、これ以上説明しない。
【００９２】
[0121]処理システム２１１４はトランシーバ２１１０に結合され得る。トランシーバ２１１０は、１つまたは複数のアンテナ２１２０に結合される。トランシーバ２１１０は、伝送媒体を介して様々な他の装置と通信するための手段を与える。処理システム２１１４は、コンピュータ可読媒体２１０６に結合されたプロセッサ２１０４を含む。プロセッサ２１０４は、コンピュータ可読媒体２１０６に記憶されたソフトウェアの実行を含む一般的な処理を担当する。ソフトウェアは、プロセッサ２１０４によって実行されたとき、処理システム２１１４に、任意の特定の装置のための上記で説明した様々な機能を実行させる。コンピュータ可読媒体２１０６はまた、ソフトウェアを実行するときにプロセッサ２１０４によって操作されるデータを記憶するために使用され得る。処理システムは、モジュール２００４、２００６、２００８、および２０１０のうちの少なくとも１つをさらに含む。それらのモジュールは、プロセッサ２１０４中で動作するか、コンピュータ可読媒体２１０６中に常駐する／記憶されたソフトウェアモジュールであるか、プロセッサ２１０４に結合された１つまたは複数のハードウェアモジュールであるか、またはそれらの何らかの組合せであり得る。処理システム２１１４は、ｅＮＢ６１０の構成要素であり得、メモリ６７６、および／またはＴＸプロセッサ６１６と、ＲＸプロセッサ６７０と、コントローラ／プロセッサ６７５とのうちの少なくとも１つを含み得る。
【００９３】
[0122]一構成では、ワイヤレス通信のための装置２００２／２００２’は、サービングセルと近隣セルとの対応するサブフレームが、両方ともＤＬサブフレームであるか、または両方ともスペシャルサブフレームであるとき、ＤＬ−ＤＬ干渉タイプを識別することと、サービングセルと近隣セルとの対応するサブフレームがサービングセル中のＤＬサブフレームと近隣セル中のＵＬサブフレームとを備えるとき、ＤＬ−ＵＬ干渉タイプを識別することとを行うように構成された、干渉タイプを判断するための手段を含む。装置２００２／２００２’はまた、ＤＬ−ＤＬ干渉の場合、ＤＬ送信電力を固定の全電力ＤＬ送信に設定するように構成された、ＤＬ送信電力を設定するための手段と、ＤＬ−ＵＬ干渉の場合、近隣セルのＵＬ開ループ電力制御パラメータに従ってＤＬ送信電力を調整するように構成された、ＤＬ送信電力を設定するための手段とを含む。
【００９４】
[0123]上述の手段は、上述の手段によって具陳された機能を実行するように構成された、装置２００２、および／または装置２００２’の処理システム２１１４の上述のモジュールのうちの１つまたは複数であり得る。上記で説明したように、処理システム２１１４は、ＴＸプロセッサ６１６と、ＲＸプロセッサ６７０と、コントローラ／プロセッサ６７５とを含み得る。したがって、一構成では、上述の手段は、上述の手段によって具陳された機能を実行するように構成されたＴＸプロセッサ６１６と、ＲＸプロセッサ６７０と、コントローラ／プロセッサ６７５とであり得る。
【００９５】
[0124]ＵＬ閉ループ電力制御装置
[0125]図２２は、ＵＬ閉ループ電力制御のための例示的な装置２２０２の異なるモジュール／手段／構成要素間のデータフローを示す概念データフロー図２２００である。本装置はＵＥであり得る。本装置は、サービングセルのＴＤＤ構成のサブフレームをアンカーサブフレームのセットと非アンカーサブフレームのセットとにグループ化するサブフレームグループ化モジュール２２０４と、アンカーサブフレームのセットと非アンカーサブフレームのセットとのためのそれぞれのＵＬ送信電力を計算するＵＬ閉ループ送信電力計算モジュール２２０６とを含む。計算モジュールはまた、アンカーサブフレームのセットと非アンカーサブフレームのセットとのための別個のＴＰＣコマンドを受信する。装置２００２はまた、計算されたＵＬ送信電力に基づく情報を、たとえば、ｅＮＢ２２１０に送信する送信モジュール２２０８を含む。
【００９６】
[0126]本装置は、図１５の上述のフローチャート中のアルゴリズムのステップの各々を実行する追加のモジュールを含み得る。したがって、図１５の上述のフローチャート中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００９７】
[0127]図２３は、ＵＬ閉ループ電力制御のための処理システム２３１４を採用する装置２２０２’のためのハードウェア実装形態の一例を示す図２３００である。処理システム２３１４は、バス２３２４によって概略的に表されるバスアーキテクチャを用いて実装され得る。バス２３２４は、処理システム２３１４の特定の適用例および全体的な設計制約に応じて、任意の数の相互接続バスおよびブリッジを含み得る。バス２３２４は、プロセッサ２３０４によって表される１つまたは複数のプロセッサおよび／またはハードウェアモジュールと、モジュール２２０４、２２０６、２２０８と、コンピュータ可読媒体２３０６とを含む様々な回路を互いにリンクする。バス２３２４はまた、タイミングソース、周辺機器、電圧調整器、および電力管理回路など、様々な他の回路をリンクし得るが、これらの回路は当技術分野においてよく知られており、したがって、これ以上説明しない。
【００９８】
[0128]処理システム２３１４はトランシーバ２３１０に結合され得る。トランシーバ２３１０は、１つまたは複数のアンテナ２３２０に結合される。トランシーバ２３１０は、伝送媒体を介して様々な他の装置と通信するための手段を与える。処理システム２３１４は、コンピュータ可読媒体２３０６に結合されたプロセッサ２３０４を含む。プロセッサ２３０４は、コンピュータ可読媒体２３０６に記憶されたソフトウェアの実行を含む一般的な処理を担当する。ソフトウェアは、プロセッサ２３０４によって実行されたとき、処理システム２３１４に、任意の特定の装置のための上記で説明した様々な機能を実行させる。コンピュータ可読媒体２３０６はまた、ソフトウェアを実行するときにプロセッサ２３０４によって操作されるデータを記憶するために使用され得る。処理システムは、モジュール２２０４、２２０６、および２２０８のうちの少なくとも１つをさらに含む。それらのモジュールは、プロセッサ２３０４中で動作するか、コンピュータ可読媒体２３０６中に常駐する／記憶されたソフトウェアモジュールであるか、プロセッサ２３０４に結合された１つまたは複数のハードウェアモジュールであるか、またはそれらの何らかの組合せであり得る。処理システム２３１４は、ＵＥ６５０の構成要素であり得、メモリ６６０、および／またはＴＸプロセッサ６６８と、ＲＸプロセッサ６５６と、コントローラ／プロセッサ６５９とのうちの少なくとも１つを含み得る。
【００９９】
[0129]一構成では、ワイヤレス通信のための装置２２０２／２２０２’は、サービングセルのＴＤＤ構成のサブフレームをアンカーサブフレームのセットと非アンカーサブフレームのセットとにグループ化するための手段と、アンカーサブフレームのセットと非アンカーサブフレームのセットとのためのそれぞれのＵＬ送信電力を計算するための手段とを含む。ＵＬ送信電力を計算するための手段は、アンカーサブフレームのセットと非アンカーサブフレームのセットとのための別個のＴＰＣコマンドを受信するための手段を含む。
【０１００】
[0130]上述の手段は、上述の手段によって具陳された機能を実行するように構成された、装置２２０２、および／または装置２２０２’の処理システム２３１４の上述のモジュールのうちの１つまたは複数であり得る。上記で説明したように、処理システム２３１４は、ＴＸプロセッサ６６８と、ＲＸプロセッサ６５６と、コントローラ／プロセッサ６５９とを含み得る。したがって、一構成では、上述の手段は、上述の手段によって具陳された機能を実行するように構成されたＴＸプロセッサ６６８と、ＲＸプロセッサ６５６と、コントローラ／プロセッサ６５９とであり得る。
【０１０１】
[0131]ｅＮＢ−ｅＮＢシグナリングを使用するダウンリンク開ループ電力制御：
[0132]ビクティムｅＮＢアップリンク干渉およびローディングステータスを考慮事項に取り込むために、構成がビクティムからアグレッサに変化するときの新しいクラスタノードのための電力設定と、構成がアグレッサからビクティムに変化するときのネイバークラスタノードのための電力設定とを含む、新しいＴＤＤ構成の有効ポイントにおけるＤＬ開ループ電力設定が要求される。
【０１０２】
[0133]図２４に、クラスタ構成がビクティムからアグレッサに変化するときの開ループ電力制御を示す。１つの新しい構成の適用の決定時に、潜在的アグレッサｅＮＢが、それのネイバーｅＮＢにそれの構成情報を通知する。ネイバービクティムｅＮＢは、経路損失のそれの測定値と、それの熱雑音レベルと、（それのアップリンクローディングおよび通常ＵＬ干渉までの）干渉対熱雑音（ＩＯＴ）マージンと、もしあれば他のアグレッサ情報とで応答する。ネイバーｅＮＢは、他のアグレッサｅＮＢノードに新しいアグレッサの追加を通知する。潜在的アグレッサｅＮＢは、単独で、または他のアグレッサノードとともにそれの初期ＤＬ  Ｔｘ電力を設定することを試みる。
【０１０３】
[0134]図２５に、クラスタ構成がアグレッサからビクティムに変化するときの開ループ電力制御を示す。１つの新しい構成の適用の決定時に、潜在的ビクティムｅＮＢは、それのネイバーｅＮＢに、それの構成情報と熱雑音レベルとＩＯＴマージンと経路損失測定値とを通知する。ネイバーアグレッサｅＮＢは、他のビクティムのＵＬステータスを要求し、ネイバービクティムｅＮＢは、他のアグレッサｅＮＢに、もしあればそれの現在の更新されたステータスを通知する。影響を受けるアグレッサｅＮＢは、最高の日付のビクティムｅＮＢステータスに基づいてそれの初期Ｔｘ電力を更新する。
【０１０４】
[0135]開ループＴｘ電力セットアップ：
[0136]ノードＣｐ１，．．．ＣｐｎをもつアグレッサセットＣについて、いくつかのしきい値未満であり、アップリンク送信を有するアグレッサセットＣのノードへの分離をもつノードＸｐ１，．．．ＸｐｍをもつビクティムセルセットＸを定義し、Ｃの最適開ループＴｘ電力設定は、以下の線形最適化問題の解である。
【０１０５】
[0137]Ｍａｘ（ＴｘＰｗｒＣｐ１＋．．．ＴｘＰｗｒＣｐｎ）、以下を受ける
【数３】
2015530852.tif 000005
【数４】
2015530852.tif 000006
【０１０６】
[0138]最適化はクラスタ／複数のクラスタごとに行われ得、単一のクラスタ最適化ケースの場合、ビクティムｅＮＢのためのＩＯＴマージンは、アグレッシブに設定され得ることに留意されたい。分離しきい値選択に関しては、アグレッサｅＮＢが円滑な干渉制御のための１つのＵＥのように見えるように、ｅｎｏｄｅＢ  Ｔｘ電力とＵＥ平均アップリンクＴｘ電力との間のＴｘ電力差（たとえば、７０ｄｂ＋ｎｏｄｅｂ最大Ｔｘ電力−ＵＥ平均ＵＬ  Ｔｘ電力）を補償することが推奨される。
【０１０７】
[0139]開示したプロセスにおけるステップの特定の順序または階層は、例示的な手法の一例であることを理解されたい。設計上の選好に基づいて、プロセス中のステップの特定の順序または階層は再構成され得ることを理解されたい。さらに、いくつかのステップは組み合わせられるかまたは省略され得る。添付の方法クレームは、様々なステップの要素を例示的な順序で提示したものであり、提示された特定の順序または階層に限定されるものではない。
【０１０８】
[0140]以上の説明は、当業者が本明細書で説明された様々な態様を実行できるようにするために提供される。これらの態様に対する様々な変更は当業者には容易に明らかであり、本明細書で定義した一般的原理は他の態様に適用され得る。したがって、特許請求の範囲は、本明細書に示された態様に限定されるものではなく、特許請求の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの」という語は「１つまたは複数の」を表す。当業者に知られている、または後に知られることになる、本開示全体にわたって説明された様々な態様の要素のすべての構造的および機能的均等物は、参照により本明細書に明確に組み込まれ、特許請求の範囲に包含されるものである。さらに、本明細書に開示するいかなることも、そのような開示が特許請求の範囲に明示的に具陳されているかどうかにかかわらず、公に供するものではない。いかなるクレーム要素も、その要素が「のための手段」という語句を使用して明確に具陳されていない限り、ミーンズプラスファンクションとして解釈されるべきではない。
【図１】
2015530852.tif 000007
【図２】
2015530852.tif 000008
【図３】
2015530852.tif 000009
【図４】
2015530852.tif 000010
【図５】
2015530852.tif 000011
【図６】
2015530852.tif 000012
【図７】
2015530852.tif 000013
【図８】
2015530852.tif 000014
【図９】
2015530852.tif 000015
【図１０】
2015530852.tif 000016
【図１１】
2015530852.tif 000017
【図１２】
2015530852.tif 000018
【図１３】
2015530852.tif 000019
【図１４】
2015530852.tif 000020
【図１５】
2015530852.tif 000021
【図１６】
2015530852.tif 000022
【図１７】
2015530852.tif 000023
【図１８】
2015530852.tif 000024
【図１９】
2015530852.tif 000025
【図２０】
2015530852.tif 000026
【図２１】
2015530852.tif 000027
【図２２】
2015530852.tif 000028
【図２３】
2015530852.tif 000029
【図２４】
2015530852.tif 000030
【図２５】
2015530852.tif 000031
【国際調査報告】
2015530852.tif 000032
2015530852.tif 000033